【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
予め定めた単一の処理シートに対する打刻可能な点字の最大連続打刻量が、編集中に求めた点字の連続打刻量を超えるか否かを判別する判別手段と、
前記点字のマスイメージを、それに対応する表記文字列とともに表示画面に表示する表示手段と、
前記連続打刻量が前記最大連続打刻量を超えると判別されたときに、前記表示手段に対して、前記マスイメージおよび前記表記文字列のうちの前記最大連続打刻量を超える部分に相当する超過マスイメージおよびそれに対応する超過表記文字列の少なくとも一方を、他の部分と識別可能に表示させる表示制御手段と、
を備えたことを特徴とする点字情報処理装置。
【請求項２】
前記最大連続打刻量は、前記打刻の駆動源を構成するソレノイドの発熱性状に起因して定められていることを特徴とする、請求項１に記載の点字情報処理装置。
【請求項３】
前記最大連続打刻量は、最大打刻マス数として定められており、
前記判別手段は、
前記編集中の点字からそのマス数を取得するマス数取得手段と、
求めた前記マス数が前記最大打刻マス数を超えるか否かを判別するマス数超過判別手段と、
を有することを特徴とする、請求項１または２に記載の点字情報処理装置。
【請求項４】
前記最大連続打刻量は、連続打刻可能な最大打刻点数として定められており、
前記判別手段は、
前記編集中の点字からその打刻点数を取得する打刻点数取得手段と、
求めた前記打刻点数が前記最大打刻点数を超えるか否かを判別する打刻点数超過判別手段と、
を有することを特徴とする、請求項１または２に記載の点字情報処理装置。
【請求項５】
前記最大連続打刻量は、連続打刻可能な最大打刻時間として定められており、
前記判別手段は、
前記編集中の点字から打刻する際の打刻時間を算出する打刻時間算出手段と、
算出した前記打刻時間が前記最大打刻時間を超えるか否かを判別する打刻時間超過判別手段と、
を有することを特徴とする、請求項１または２に記載の点字情報処理装置。
【請求項６】
前記処理シートは、固定長のものであり、
前記最大連続打刻量は、前記固定長に基づいて定められた最大配置マス数であることを特徴とする、請求項１に記載の点字情報処理装置。
【請求項７】
前記編集中の点字を前記処理シートに配置する配置長を設定する配置長設定手段をさらに備え、
前記最大連続打刻量は、設定された前記配置長に基づいて定められた最大配置マス数であることを特徴とする、請求項１に記載の点字情報処理装置。
【請求項８】
予め定めた単一の処理シートに対する打刻可能な点字の最大連続打刻量が、編集中に求めた点字の連続打刻量を超えるか否かを判別する判別工程と、
前記連続打刻量が前記最大連続打刻量を超えると判別されたときに、編集中の点字のマスイメージをそれに対応する表記文字列とともに表示する表示画面に、前記マスイメージおよび前記表記文字列のうちの前記最大連続打刻量を超える部分に相当する超過マスイメージおよびそれに対応する超過表記文字列の少なくとも一方を、他の部分と識別可能に表示する表示工程と、
を備えたことを特徴とする点字情報処理方法。
【請求項９】
コンピュータに、請求項１ないし７のいずれかに記載の点字情報処理装置における各手段を機能させるためのプログラム。
【請求項１０】
請求項９に記載のプログラムを、プログラム処理可能な装置によって読出可能に記憶することを特徴とする記憶媒体。
【手続補正２】
【補正対象書類名】明細書
【補正対象項目名】０００７
【補正方法】変更
【補正の内容】
【０００７】
本発明の点字情報処理装置は、予め定めた単一の処理シートに対する打刻可能な点字の最大連続打刻量が、編集中に求めた点字の連続打刻量を超えるか否かを判別する判別手段と、点字のマスイメージを、それに対応する表記文字列とともに表示画面に表示する表示手段と、連続打刻量が最大連続打刻量を超えると判別されたときに、表示手段に対して、マスイメージおよび表記文字列のうちの最大連続打刻量を超える部分に相当する超過マスイメージおよびそれに対応する超過表記文字列の少なくとも一方を、他の部分と識別可能に表示させる表示制御手段と、を備えたことを特徴とする。
【手続補正３】
【補正対象書類名】明細書
【補正対象項目名】０００８
【補正方法】変更
【補正の内容】
【０００８】
また、本発明の点字情報処理方法は、予め定めた単一の処理シートに対する打刻可能な点字の最大連続打刻量が、編集中に求めた点字の連続打刻量を超えるか否かを判別する判別工程と、連続打刻量が最大連続打刻量を超えると判別されたときに、編集中の点字のマスイメージをそれに対応する表記文字列とともに表示する表示画面に、マスイメージおよび表記文字列のうちの最大連続打刻量を超える部分に相当する超過マスイメージおよびそれに対応する超過表記文字列の少なくとも一方を、他の部分と識別可能に表示する表示工程と、を備えたことを特徴とする。
【手続補正４】
【補正対象書類名】明細書
【補正対象項目名】００１０
【補正方法】変更
【補正の内容】
【００１０】
また、上述の点字情報処理装置において、最大連続打刻量は、打刻の駆動源を構成するソレノイドの発熱性状に起因して定められていることが好ましい。
【手続補正５】
【補正対象書類名】明細書
【補正対象項目名】００３４
【補正方法】変更
【補正の内容】
【００３４】
また、本発明のプログラムは、コンピュータに、上述のいずれかの点字情報処理装置における各手段を機能させることを特徴とする。また、本発明の記憶媒体は、上述のプログラムを、プログラム処理可能な装置によって読出可能に記憶することを特徴とする。
【手続補正６】
【補正対象書類名】明細書
【補正対象項目名】００３７
【補正方法】変更
【補正の内容】
【００３７】
図１および図２に示すように、このラベル作成装置１は、装置ケース２により外殻が形成され、装置ケース２の前部上面には各種入力キーを備えたキーボード３が配置されると共に、後部上面には開閉蓋２１が取り付けられ、開閉蓋２１の表側には長方形のディスプレイ４が配設されている。
【手続補正７】
【補正対象書類名】明細書
【補正対象項目名】００５３
【補正方法】変更
【補正の内容】
【００５３】
点字器や点字タイプライタ等で慣用されている１文字（１マス）や文字間（マス間）の仕様（以下「民間仕様」）によれば、図４（ａ）に示すように、６点点字Ｂは、縦３個×横２個の６個の点（打刻ポイント：いわゆる「１の点」〜「６の点」と呼ばれる６個の点：図右上に注記）で１マス２０１が構成され、６個の点のうちの打刻点および非打刻点のパターンにより、この１マス２０１で、１文字や濁点その他の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【手続補正８】
【補正対象書類名】明細書
【補正対象項目名】００５５
【補正方法】変更
【補正の内容】
【００５５】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。図４（ａ）では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【手続補正９】
【補正対象書類名】明細書
【補正対象項目名】００５９
【補正方法】変更
【補正の内容】
【００５９】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（図８（ｂ）参照）、入力された文字情報に基づいて点字打刻のみを行う第３処理モード（図８（ｃ）参照）があり、いずれか１つの処理モードが選択される。
【手続補正１０】
【補正対象書類名】明細書
【補正対象項目名】００６８
【補正方法】変更
【補正の内容】
【００６８】
次に、点字打刻部１５０において、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１の突き上げ（打刻）を受ける打刻受け部材８２とを備え、テープ走行路７０の下側（図５（ｂ）における図示下側部）に固定配置されている。
【手続補正１１】
【補正対象書類名】明細書
【補正対象項目名】００７４
【補正方法】変更
【補正の内容】
【００７４】
次に、図７〜図９を参照し、ラベル作成装置１の全体処理について説明する。図７に示すように、電源キーの押下（電源オン）により処理が開始されると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【手続補正１２】
【補正対象書類名】明細書
【補正対象項目名】００８４
【補正方法】変更
【補正の内容】
【００８４】
そして、特に第１処理モード（墨点併記）の場合、図９に示すように、テープ幅の検出結果が２４ｍｍ（テープＴ１）の場合は（図９（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。